(57)【特許請求の範囲】
【請求項１】
給水管や電線管などの竪管を各階を通して上下に配管させるためのパイプシャフトであって、
前記パイプシャフトは、建物の外周壁内面に沿って設けられた柱間に設ける梁と、前記外周壁内面との間を、上下階に貫通させてなり、
前記パイプシャフトは、前記外周壁に設けられた隣り合う窓間の外周壁内面部分に上下に沿って設けられ、
前記パイプシャフトに隣接する窓の窓下には、流し台などの水廻ユニットが設けられ、前記水廻ユニットが前記パイプシャフトを通る竪管に配管接続されていることを特徴とするパイプシャフト。
【請求項２】
流し台などの水廻ユニットの配置方法であって、
建物の外周壁内面に沿って設けられた柱間に設ける梁と、前記外周壁に設けられた隣り合う窓間の外周壁内面部分との間を、前記外周壁内面部分に上下に沿って上下階に貫通させられたパイプシャフトに隣接して、前記窓の窓下に前記水廻ユニットが設けられていることを特徴とする水廻ユニットのパイプシャフト隣接配置方法。
【発明の詳細な説明】
【０００１】
【発明の属する技術分野】
本発明は、建物内の各室に水やガス、電気などを供給するための竪管などを収納するパイプシャフトに関する。
【０００２】
【従来の技術】
従来、事務所ビルや集合住宅などのように各階に複数の居室部分が設けられている建物では、この建物の上下階を通してパイプシャフトが設けられ、このパイプシャフトの中に給水管、排水管、あるいは電線管、ガス管などの竪管が建物内における幹線として通されている。
【０００３】
各階では、かかるパイプシャフトの各階部分から各室へ分岐配管がなされ、必要な水や電気などが供給されている。例えば図８に示すように、かかるパイプシャフト１（図中破線表示）は、一般的に、建物内の共有部分に設けられている。
【０００４】
例えば、図８に示すように、パイプシャフト１内の給水竪管２やガス竪管３から、それぞれ給水管２ａやガス管３ａを分岐させ、この分岐させた給水管２ａやガス管３ａをそれぞれの居室４内に引き込んでいる。引込みに際しては、例えば共用部分の廊下Ａ下を横走り配管させ、居室４内の例えば流し台（図示せず）や洗面台などのような水廻ユニットに向けて、曲げ配管されて居室４内に配管が引き込まれている。
【０００５】
引き込まれた給水管２ａやガス管３ａは、それぞれ水廻ユニットのユニット配管などと配管接続され、水廻ユニットでの給水あるいは湯沸かし用に使用されることとなる。電話線などの通信線や、電線などが通された電線竪管５もパイプシャフト１内を通されており、図８に示すように、電線竪管５からの分岐配線が天井裏を利用して居室４内に引き込まれている。
【０００６】
【発明が解決しようとする課題】
従来構成のパイプシャフトは、廊下や階段の踊り場などの共用部分に共用パイプシャフトとして設けられているため、例えば、居室部分の模様替えなどで新たに電源や水が必要になったときには、別途共用部分のパイプシャフトから新たな配管を設けなければならず、大掛かりな改修が必要とされている。
【０００７】
そこで、従来構成の共有パイプシャフト方式を改め、各階の居室部分を通過するようにパイプシャフトを設ける方式が採用できれば好ましい。しかし、かかる方式は、パイプシャフト設置部分がどうしても室内側に出っ張ることとなり、例えば居室内ののレイアウト範囲が使い易い矩形状に採りにくく、また、フロアの専有面積が減少するなどで居室部分の使用勝手が悪くなるため、従来は採用しにくい方式であった。
【０００８】
本発明の目的は、居室部分の使用勝手を悪くすることなく、居室部分にパイプシャフトを通すことができるようにすることにある。
【０００９】
【課題を解決するための手段】
本発明は、給水管や電線管などの竪管を各階を通して上下に配管させるためのパイプシャフトであって、建物の外周壁内面に沿って設けられた柱間に設ける梁と、前記外周壁内面との間を、上下階に貫通させてなることを特徴とする。
【００１０】
前記パイプシャフトは、前記外周壁に設けられた隣り合う窓間の外周壁内面部分に上下に沿って設けられていることを特徴とする。
【００１１】
前記パイプシャフトに隣接する窓の窓下には、流し台などの水廻ユニットが設けられ、前記水廻ユニットが前記パイプシャフトを通る竪管に配管接続されていることを特徴とする。
【００１２】
前記パイプシャフトは、前記柱より室内側には出っ張らないように構成されていることを特徴とする。
【００１３】
前記パイプシャフトがプレキャストコンクリート板で竪管を通す空間が囲まれて形成されていることを特徴とする。
【００１４】
本発明の水廻ユニットのパイプシャフト隣接配置方法では、流し台などの水廻ユニットの配置方法であって、建物の外周壁内面に沿って設けられた柱間に設ける梁と、前記外周壁に設けられた隣り合う窓間の外周壁内面部分との間を、前記外周壁内面部分に上下に沿って上下階に貫通させられたパイプシャフトに隣接して、前記窓の窓下に前記水廻ユニットが設けられていることを特徴とする。
【００１５】
本発明のパイプシャフトは、建物の外周壁内面に沿って設けられた柱間に設ける梁と、前記外周壁内面との間の小空間を利用して、上下階に貫通させるようにして構成されている。かかる小空間は柱より室内側に出っ張ることはなく、従ってこの小空間を有効活用した本発明のパイプシャフトは、居室の使い勝手を悪くする心配がない。
【００１６】
従来のように各室の共有部分にパイプシャフトを設ける場合に比べて、各室の居室内にパイプシャフトを設けることができるので、上下階を通す竪管からの配管敷設を要する箇所への分岐配管ルートを短くすることができる。その分、分岐配管コストの低減が図れる。
【００１７】
また、パイプシャフトの構成に際しては、プレキャストコンクリート板で上記小空間を囲むようにして構成すれば、例えば現場打設のコンクリートでパイプシャフトを構成する場合に比べて格段に省力化が図れる。
【００１８】
また、上記小空間は、例えば柱に角形鋼管柱を使用し、Ｈ形鋼を梁に使用し、従来方法で鉄骨組立を行えば構造上必然的に形成される小空間で、従来は利用可能な空間対象としては認識されていなかった。本発明者らにより初めて着目され、その有効利用が図られることとなった。
【００１９】
さらには、上記の如く、柱と梁との構造上発生する隙間を小空間として利用しているが、かかる小空間をより積極的に使用できるように、柱間を通す梁を構造力学的に許容される範囲内で居室側に移動させてもよい。すなわち、従来は柱面の中央に梁が通される構成とされていたが、積極的に梁の通し位置を柱面において居室側に敢えてずらし、梁と外周壁との間を広くとり、小空間の専有容積を広げる工夫をしてもよい。
【００２０】
上記パイプシャフトを小空間を利用して設けるに際しては、例えば、窓を設けた外周壁部分のうち、特に外周壁に設けられた窓と窓との間の外周壁内面部分に沿って設けるようにするのが好ましい。
【００２１】
通常、窓は室内への採光機能を有しているため、窓を有する外周壁内面部分には比較的大きな物が配置されることは少なく、かかる空間を使用することがレイアウト上の支障を来すほどの問題とはなりにくい。特に、窓と窓との間の外周壁内面部分は、幅が狭く、積極的にこの部分に物を配置するレイアウト上の重要性はそれ程考えられない。
【００２２】
そこで、隣り合う窓と窓との間の外周壁内面部分に沿ってパイプシャフトを設けても、従来からの居室空間の使用勝手を大幅に制限する心配はなく、逆に従来は積極的に使用されていなかった部分を有効利用することとなり、居室の使用勝手を損なうことなく居室部分へのパイプシャフトの施工が行える。
【００２３】
また、かかる位置にパイプシャフトを設ける場合には、このパイプシャフトに隣接する窓下に流し台などの水廻ユニットを配置することで、両構成が相まって、従来より分岐管路が短く、分岐配管作業の手間がかからない水廻ユニットの配置を実現させることができる。
【００２４】
従来の共有部分に設けたパイプシャフト内の竪管より分岐管を居室内に引込む場合に比べて、分岐管路を格段に短く、分岐配管作業の手間を格段に省くことができる。
【００２５】
また、本発明では、パイプシャフトを居室内に設けているため、居室部分のレイアウト変更に際して、パイプシャフト内の竪管との分岐配管が必要な水廻などの配置替えも、分岐配管作業が簡単なため容易に行える。共用パイプシャフトからの配管ルートの長い新たな配管敷設を考慮せずに済む。
【００２６】
また、窓と窓との間の上記パイプシャフトを設ける外周壁内面部分が複数箇所あれば、給水竪管、排水竪管などの給排水用の竪管用のパイプシャフトと、電線や通信線などを通す竪管用のパイプシャフトとを別々に設けても構わない。建物内への建物外からの引込み状況がことなるこれらの竪管の状況に合わせて、各々無理のない箇所でのパイプシャフトの設置が行える。
【００２７】
【発明の実施の形態】
以下、本発明の実施の形態を図面に基づいて詳細に説明する。
【００２８】
（実施の形態１）
本実施の形態では、図１に示すように、建物の各階部分のそれぞれの部屋１０内を上下に通してパイプシャフト２０が設けられている。図１（ａ）では、部屋１０の外周壁１１内面側が見えるように俯瞰した様子を図示してある。
【００２９】
部屋１０内では、図１（ａ）に示すように、外周壁１１の内面側に沿って所定間隔に柱３０が設けられ、この柱３０間の外周壁１１部分には、窓４０が設けられている。窓４０は、柱３０間の外周壁１１部分に、間をあけて横方向に隣り合わせに設けられている。
【００３０】
外周壁１１の内面部分のうちこの隣接する窓４０間の外周壁内面部分１２（図２）に、沿ってパイプシャフト２０が上下方向に各階を通して設けられている。パイプシャフト２０に使用する空間には、梁３１の上方から見下ろした状況を示す図２の平面図と、上下階を通してパイプシャフト２０が通されている様子を柱３０の側面に向かって見た状況を示す図３の断面図とに示すように、柱３０間に設けられた梁３１と外周壁１１内面側との間の幅Ｗの狭い小空間が利用されている。
【００３１】
例えば、柱３０に角形鋼管を使用し、梁３１にＨ形鋼を使用した場合には、図３に示すように、柱３０の側面３０ａ面の左右の中央位置から、Ｈ形鋼の梁３１が図３の紙面手前側に向けて設けられる。この梁３１は、図２に示すように、外周壁１１内面に沿って平行に設けられるため、この梁３１の側方部分と外周壁１１内面との間に小空間が構成されることとなる。
【００３２】
すなわち、梁３１に使用したＨ形鋼の水平フランジ３１ａの外周壁１１内面側と、外周壁１１内面側との間に小空間が形成されるのである。
【００３３】
従来の鉄骨構造では、梁３１に使用するＨ形鋼は、上下の水平フランジ３０ａの幅Ｗ１が、柱３０の角形鋼管柱の側面３０ａの幅Ｗ２より小さいので、Ｈ形鋼を角形鋼管の側面中央に取り付けると必然的に、略（Ｗ２−Ｗ１）／２に相当する差分だけ、柱３０に設ける外周壁１１内面と梁３１との間に幅Ｗの狭い小空間が形成されることとなる。
【００３４】
本発明者らは、従来有効利用が特段図られていないこの小空間に着目し、上下各階を通したパイプシャフト２０用の空間として利用し得ることに気がついたのである。パイプシャフト２０内を上下階に通すのは竪管であるため、少なくとも小空間には竪管の管径より大きい幅があれば足り、それ程大きい空間は必要としない。まさに本発明者らは、梁３１と外周壁１１内面との間に形成される小空間内には、竪管４０を通し得ることに気がついたのである。
【００３５】
また、かかる小空間については、柱３０と梁３１とに、例えば角形鋼管、Ｈ形鋼を使用して従来方法で柱３０と梁３１とを接合すれば必然的に発生するものであるが、例えばＨ形鋼などの梁３１の柱３０の側面３０ａに接合するに際して、図４に示すように、構造力学的に許容される範囲内で室内側に積極的にずらすことにより（図中、矢印表示）、形成される小空間を少しでも広く確保するようにしても構わない。
【００３６】
パイプシャフト２０は、上記梁３１と外周壁１１内面との間に設けられた小空間を天井１３、上階の床スラブ１４を貫通させて設けたパイプシャフト用空間の部屋１０内を通過する部分を函体状のカバー２１で覆って構成されている。カバー２１は、図３に示すように、上記構成の外周壁内面部分１２に沿って、部屋１０の床スラブ１４から天井１３まで設けられている。
【００３７】
パイプシャフト２０のカバー２１は、現場施工で設けても構わないが、例えばプレキャストコンクリート板（略して以下、ＰＣ板とする）化しておけば、現場施工の手間が省け、より省力化が期待できる。
【００３８】
上記要領で構成されたパイプシャフト２０（２０ａ、２０ｂ）は、図１に示すように、本実施の形態では、部屋１０内に２箇所設けられている。かかるパイプシャフト２０の函体状のカバー２１の室内側正面には、図１（ｂ）に示すように、扉２２が設けられ、必要に応じて扉２２を開けてパイプシャフト２０内の点検などができるようになっている。
【００３９】
パイプシャフト２０ａ内には、給水竪管やガス竪管が通され、併せて、量水器や、ガスメータなどが設けられている。パイプシャフト２０ｂ内には、電話線や電線を通した電線管が通され、分岐配線用のメータ類などを設けた分電盤に構成されている。パイプシャフト２０ｂの扉２２の正面には、必要に応じて電圧などの指針確認ができるように窓が設けられている。
【００４０】
パイプシャフト２０のカバー２１の正面部分は、図１〜３に示すように、梁３１の縦フランジ３１ｂの辺りまで室内側に出っ張らせて設けられている。カバー２１の正面部分は最大に出っ張らせても柱３０よりも室内側に出っ張ることがないようにすることが必要である。柱３０より出っ張っていては、柱３０から室内側のスペースがパイプシャフト２０の出っ張りによって使い勝手が悪くなるためである。
【００４１】
また、ある程度図１〜３に示すように、出っ張らせるのは、竪管５０（図５参照）の手前側に量水器などの計器類を設けるスペースが必要なためである。しかし、かかる配慮が不要な場合には、梁３１の水平フランジ３１ａの端辺りまで引っ込めるようにしても一向に構わない。
【００４２】
また、本発明のパイプシャフト２０は各室に設けられているので、共有部分に設けられている従来構成とは異なり、パイプシャフト２０内に竪管５０として通した排水管に、各室の天井裏に設置した空調機から短い配管経路でドレン管を接続することができ、ドレン管の排水ルートとしても利用することができる。
【００４３】
また、パイプシャフト２０内は、電線管を竪管５０として通している場合には、前記説明のようにパイプシャフト２０自体を分電盤として構成するのとは異なり、パイプシャフト２０内に分電盤を収納するようにしても構わない。
【００４４】
（実施の形態２）
本実施の形態では、上記実施の形態１とほぼ同様の構成のパイプシャフト２０を使用して、短い配管ルートで合理的な配管が簡単に行える水廻ユニットの配置方法について以下説明する。
【００４５】
パイプシャフト２０は、図５に示すように、外周壁１１に設けられた２つの窓の間の外周壁内面部分１２と、梁３１との間の狭い小空間を上下階に通して構成されている。パイプシャフト２０のカバー２１は、梁３１の縦フランジ３１ｂの辺りまで室内側に出っ張らせた略函体状に形成されて、前記実施の形態１と同様に小空間を囲っている。
【００４６】
梁３１の周囲には、図５に示すようにウレタン吹き付け３２が施されている。また梁３１の縦フランジ３１ｂ部分からは、図６に示すように、小梁３３が室内側に向けて渡され、この小梁３３の周囲にもウレタン吹き付け３２が施されている。
【００４７】
かかるパイプシャフト２０内を、建物の上下階に通す給水管、排水管、ガス管、電線管などの幹線となる竪管５０が通されている。なお、図５〜７では、竪管５０およびそれからの分岐管の一部を配管ルートを示す実線表示で示してある。
【００４８】
パイプシャフト２０の左右には、図６に示すように、外周壁１１に設けた窓用開口部に窓枠４１を取付け、この窓枠４１にガラスを設けて窓４０が設けられている。窓４０下には、流し台（キッチンユニット）が水廻ユニット６０として配置されている。かかる様子を、梁３１の上から下方を見下ろした場合について、図７で示している。パイプシャフト２０の左右には流し台が見え、そのシンク部分６１が見えている。
【００４９】
シンク部分６１の下側では、パイプシャフト２０内の竪管５０から分岐配管されたガス管や給水管などが水廻ユニットのユニット配管と配管接続させられている。かかる分岐配管接続に際しては、従来とは異なり、窓際に設けられたパイプシャフト２０に隣接して水廻ユニット６０を設けることにより、極めて短い配管距離で分岐配管が行え、その分配管作業も簡単に行える。
【００５０】
図６〜７では、水廻ユニット６０として流し台を設けた様子を示しているが、水廻ユニット６０としては、例えば、洗面台などのようなものでも構わない。
【００５１】
【発明の効果】
本発明では、居室部分にパイプシャフトが通されているので、居室内の模様替により新たな給水配管の要求、あるいは電源容量の変更が発生しても、従来構成とは異なり、共有部分に設置したパイプシャフト側から長い配管ルート経てわざわざ分岐配管をする必要がなく、居室部分からの短い距離で分岐配管を行うことができる。
【００５２】
本発明では、従来有効活用がなされていない外周壁内面と梁との間の所謂デッドスペースを利用した構成であるため、従来の居室部分の使い勝手を悪くすることなく、パイプシャフトを居室内に設けることができる。
【００５３】
本発明の構成のパイプシャフトでは、その設置箇所が外周壁の窓と窓との間の外周壁内面部分と梁との間であるため、１つの居室部分で上記条件を満たすパイプシャフトの設置可能箇所が複数箇所想定できる場合が多く、竪管の種類に応じてパイプシャフトを複数設けることが簡単にできる。
【００５４】
本発明では、パイプシャフトが外周壁近くに設けられることとなるため、例えば各フロアの奥まった共有部分にパイプシャフトが設けられる場合と比べて、パイプシャフト用資材の揚重、搬入が容易に行える。
【００５５】
本発明では、パイプシャフトをＰＣ板で構成することができるため、例えば現場でのコンクリート打設によりパイプシャフトを施工する場合に比べて、格段に施工工数の低減が図れる。
【図面の簡単な説明】
【図１】（ａ）、（ｂ）は、本発明の一実施の形態のパイプシャフトの構成を示す俯瞰図である。
【図２】パイプシャフトの構成を梁上方から見た様子を示す平断面図である。
【図３】パイプシャフトの構成を柱の側面に向かって見た様子を示す縦断面図である。
【図４】柱に対する梁の接合位置をずらすことにより、小空間を広くする場合を示す断面図である。
【図５】パイプシャフトに隣接して水廻ユニットを設置する様子を示す縦断面図である。
【図６】左右に水廻ユニットを隣接配置したパイプシャフトの正面側の様子を、一部断面図で示す正面図である。
【図７】左右に水廻ユニットを隣接配置したパイプシャフトの梁上方から見た様子を示す断面図である。
【図８】従来構成のパイプシャフトの構成を示す俯瞰図である。
【符号の説明】
１        パイプシャフト
２        給水竪管
２ａ      給水管
３        ガス竪管
３ａ      ガス管
４        居室
５        電線管
１０      居室
１１      外周壁
１２      外周壁内面部分
１３      天井
１４      床スラブ
２０      パイプシャフト
２０ａ    パイプシャフト
２０ｂ    パイプシャフト
２１      カバー
２２      扉
３０      柱
３１      梁
３１ａ    水平フランジ
３１ｂ    縦フランジ
３２      ウレタン吹き付け
３３      小梁
４０      窓
４１      窓枠
５０      竪管
６０      水廻ユニット
６０ａ    シンク部分
【図１】
0004137242.tif 000002
【図２】
0004137242.tif 000003
【図３】
0004137242.tif 000004
【図４】
0004137242.tif 000005
【図５】
0004137242.tif 000006
【図６】
0004137242.tif 000007
【図７】
0004137242.tif 000008
【図８】
0004137242.tif 000009